(57)【要約】【課題】  設定放送局の放送信号の受信レベルが弱い場合を想定し、携帯電話機の目覚ましで、なるべくラジオ放送などの放送の受信を以って目覚まし機能を果す携帯電話機を提供する。【解決手段】  目覚ましに放送の受信を設定されている携帯電話機１０１が所定時刻になったとき、設定放送局１０４からの受信を開始する。放送局１０４の放送の受信感度が弱い場合に、携帯電話機１０１は、ＧＰＳなどを利用して自己位置を取得し、携帯電話機１０１内蔵の領域対応放送局情報と照らし合わせ、自己位置の対応する領域の他の放送局１０５の放送を受信し受信感度の強いものを設定放送局１０４の放送の替わりに音声にして出力し、目覚まし機能を果す。【選択図】図１
2005244568.tif 000002
【特許請求の範囲】
【請求項１】
アラーム機能を有する携帯電話機であって、
放送を受信する受信手段と、
携帯電話機自身の位置情報を取得する位置情報取得手段と、
領域に対応した複数の放送局情報を記憶している記憶手段と、
前記位置情報の属する領域を決定する決定手段と、
前記受信手段が受信する放送の受信強度を検出する検出手段と、
予め設定されている放送を前記受信手段により受信させ、前記検出手段により検出された受信強度が規定値に満たない場合、前記位置情報取得手段に位置情報を取得させ、取得された位置情報に基づき前記決定手段により決定される領域に対応する放送局情報を読み出し、前記放送局情報で特定される放送を前記受信手段に受信させ、前記検出手段により検出された当該放送の受信強度が規定値以上の放送を選局する制御手段と、
アラーム時刻になると放送を出力する出力手段とを備えることを特徴とする携帯電話機。
【請求項２】
前記制御手段は、
前記放送局情報で特定される放送のうち、前記検出手段により検出された受信強度が最も強い放送を前記受信手段に受信させることを特徴とする請求項１記載の携帯電話機。
【請求項３】
前記位置情報取得手段は、
ＧＰＳを利用して自身の位置情報を取得することを特徴とする請求項１記載の携帯電話機。
【請求項４】
前記位置情報取得手段は、
基地局との通信により基地局の位置情報を獲得し、当該位置情報を携帯電話機の位置情報とすることを特徴とする請求項１記載の携帯電話機。
【請求項５】
前記記憶手段に記憶されている放送局情報は異なる領域において重複して対応付けられていることを特徴とする請求項１記載の携帯電話機。
【請求項６】
前記検出手段は、
前記受信手段により受信した放送の電界強度を検出し、
前記規定値は、
放送が明瞭に受信されていることを認識できる電界強度の値とすることを特徴とする請求項１記載の携帯電話機。
【請求項７】
前記制御手段は、
前記規定値を満たす放送がなかった場合は内蔵のアラーム音を前記出力手段に出力させることを特徴とする請求項１記載の携帯電話機。
【請求項８】
前記制御手段は、
アラーム設定時刻に放送を出力するために、前記規定値を満たす放送を選局するのに十分な時間前から前記検出手段を起動することを特徴とする請求項１記載の携帯電話機。
【請求項９】
アラーム機能を有する携帯電話機のアラーム出力方法であって、
所定の放送を受信する放送受信ステップと、
受信した放送の電界強度を検出する電界強度検出ステップと、
前記電界強度検出ステップで検出された当該電界強度が、前記規定値を満たすかどうかを判定する電界強度判定ステップと、
前記電界強度判定ステップで当該電界強度が、前記規定値に満たないと判定された場合に、携帯電話機自身の位置情報を取得する自位置情報取得ステップと、
前記自位置情報取得ステップで取得された自位置情報を基に、当該自位置情報の属する領域を決定する領域決定ステップと、
前記領域決定ステップで決定された領域を基に、当該領域に対応する放送局情報を読み出す放送局情報読み出しステップと、
前記放送局情報読み出しステップで読みだされた放送局情報記載の放送の一つを受信し、前記電界強度判定ステップで前記規定値を満たす放送が検索されるまで順次受信する放送を切り替えていく放送選局ステップと、
前記放送選局ステップで検索された放送をアラーム時刻になると放送を出力する出力ステップとを有することを特徴とする携帯電話機のアラーム出力方法。
【請求項１０】
前記請求項９記載の携帯電話機のアラーム出力方法をコンピュータに実行させるアラーム出力プログラム。
【発明の詳細な説明】
【技術分野】
【０００１】
本発明は、放送受信機能とアラーム機能とを有する携帯電話機に関する。
【背景技術】
【０００２】
近時の携帯電話機は、単なる通信機能を備えたものよりも、多くの付加機能を備えたものが普及している。
付加機能としては、早くから備わっていたアラーム機能の他に、ラジオ、テレビ放送受信機能、ＧＰＳによる自位置探査機能などがある。
アラーム機能は、目覚まし時計代わりに使えるもので、携帯電話機の携帯性と相俟って、旅行先、出張先での目覚まし用として利用されている。ただ、携帯電話利用者によっては、内蔵のアラーム音は必ずしも心地のいい音とは言い難く、そのためアラーム機能を停止させて使用するといったことが多々ある。その結果、アラーム機能に関しては、付加機能としての価値が十分に生かしきれてないのが現状である。
【０００３】
アラーム機器として、広範に利用されている機器にラジオ受信機がある。特許文献１は、アラーム機能を有したラジオ受信機において、設定時間になるとラジオ放送をスピーカから流す一方で、放送が受信できないときは、内蔵アラームを作動させる技術を開示する。
この技術を携帯電話機に適用し、設定時間になるとラジオ放送を流し、放送受信が不可能なときは内蔵アラーム音を鳴らすようにすることが考えられる。
【特許文献１】特開平５−２２１７２号公報
【発明の開示】
【発明が解決しようとする課題】
【０００４】
しかしながら、携帯電話機の場合には、その携帯性のために、旅行先、出張先でアラーム機能を使用する機会が多く、大半の場合が、設定値の周波数域と利用地の周波数域が異なり、そのため、ほとんどの場合、利用者にとって不所望な内蔵アラームが鳴ることになる。
本発明は、係る課題に鑑み、旅行先、出張先であっても、不所望なアラーム音の鳴動を出来るだけ回避し、放送を流すことの出来る新規手段を提供することを目的とする。
【課題を解決するための手段】
【０００５】
上記課題を解決するために本開発に係る携帯電話機は、アラーム機能を有する携帯電話機であって、放送を受信する受信手段と、携帯電話機自身の位置情報を取得する位置情報取得手段と、領域に対応した複数の放送局情報を記憶している記憶手段と、前記位置情報の属する領域を決定する決定手段と、前記受信手段が受信する放送の受信強度を検出する検出手段と、予め設定されている放送を前記受信手段により受信させ、前記検出手段により検出された受信強度が規定値に満たない場合、前記位置情報取得手段に位置情報を取得させ、取得された位置情報に基づき前記決定手段により決定される領域に対応する放送局情報を読み出し、前記放送局情報で特定される放送を前記受信手段に受信させ、前記検出手段により検出された当該放送の受信強度が規定値以上の放送を選局する制御手段と、アラーム時刻になると放送を出力する出力手段とを備えることとしている。
【発明の効果】
【０００６】
本発明に係る携帯電話機は、上述の構成を備えることにより、アラーム設定時刻に受信するように設定したラジオ放送若しくはテレビ放送の受信電波の電界強度が規定値に満たない場合に、周波数をスキャンする等して、規定値を上回る電界強度を持つ放送局を選択し、当該放送の音声を流すことや、画面に画像を表示することでアラーム機能を果たせるようになる。
【０００７】
また、前記制御手段は、前記放送局情報で特定される放送のうち、前記検出手段により検出された受信強度が最も強い放送を前記受信手段に受信させることとしてもよい。
これにより、前記携帯電話機は電界強度の強い放送を受信するので、鮮明に放送を再生できる。
また、前記位置情報取得手段は、ＧＰＳを利用して自身の位置情報を取得することとしてもよい。
【０００８】
これにより、前記携帯電話機は自位置の経度緯度情報の取得が可能になり、設定した放送の電波の受信ができない場合に受信する前記放送とは異なる放送の選局を行うときの領域決定が可能となる。
また、前記位置情報取得手段は、基地局との通信により基地局の位置情報を獲得し、当該位置情報を携帯電話機の位置情報とすることとしてもよい。
【０００９】
これにより、前記携帯電話機の自位置に近い基地局の位置を認識し、当該基地局が所属する領域を検出し、当該領域を前記携帯電話機の属する領域として放送局情報を読み出せるようになる。
また、前記記憶手段に記憶されている放送局情報は異なる領域において重複して対応付けられていることとしてもよい。
【００１０】
これにより、異なる領域へ移動しての使用に際しても、重複して対応付けられている聴き慣れた放送を再生することができる。
また、前記検出手段は、前記受信手段により受信した放送の電界強度を検出し、前記規定値は、放送が明瞭に受信されていることを認識できる電界強度の値とすることとしてもよい。
【００１１】
これにより、選択される放送は、十分な電界強度を持ったことが保障でき、実使用に適したアラーム機能が発揮できる。
また、前記制御手段は、前記規定値を満たす放送がなかった場合は内蔵のアラーム音を前記出力手段に出力させることとしてもよい。
これにより、放送全域において、規定値を満たす放送電波がなかった場合においては、内蔵アラームが作動し、必要なアラーム機能を保障できる。
【００１２】
また、前記制御手段は、アラーム設定時刻に放送を出力するために、前記規定値を満たす放送を選局するのに十分な時間前から前記検出手段を起動することとしてもよい。
これにより、請求項１記載の携帯電話機は、アラーム設定時刻から放送局の選局を行うのでアラーム設定時刻ちょうどに放送を再生できないことがあるが、請求項８記載の携帯電話機は、アラーム設定時刻ちょうどに放送の再生が可能になる。
【発明を実施するための最良の形態】
【００１３】
以下、本発明に係る携帯電話機の一実施の形態について、図面を用いて説明する。
（一実施の形態）
図１は、本発明に係る携帯電話機を含んだシステムの概略構成図である。
本システムは携帯電話機１０１と、基地局１０２と、ＧＰＳ（Global Postioning System）衛星群１０３と、放送局１０４と、放送局１０５と、位置計算サーバ１０６とを備える。
【００１４】
ここで、放送局１０４は携帯電話機がアラーム時刻に受信する放送を提供する放送局であり、放送局１０５はその他の放送局である。
また、位置計算サーバ１０６はＧＰＳ衛星群１０３からの電波を受信した携帯電話機１０１から位置情報に関するデータを基地局１０２経由で受け取り、携帯電話機１０１の存在する位置の経度と緯度とを算出する。算出した経度緯度情報は基地局１０２経由で携帯電話機１０１に送り返される。
【００１５】
図２は、携帯電話機１０１の構成図である。
同図に示すように、携帯電話機１０１は、通信部２１０と、アンテナ２１１と、音声部２２０と、マイク２２１と、スピーカ２２２と、放送受信部２３０と、アンテナ２３１と、表示部２４０と、検出部２５０と、時計部２６０と、記憶部２７０と、操作部２８０と、制御部２９０とから構成される。
【００１６】
通信部２１０は、アンテナ２１１から出力された受信信号を受話音声信号及び受信データ信号に復調し、復調した受話音声信号を音声部２２０に、受信データ信号を表示部２４０並びに制御部２９０に出力する。また、音声部２２０からのＡ／Ｄ変換された送話音声信号、及び制御部２９０から与えられる電子メールなどの送信データ信号を変調し、アンテナ２１１から出力する。更に通信部２１０は、制御部２９０からの位置情報請求の信号を取得し、ＧＰＳ衛星群１３０に対する電波受信要求を送信する。その後、各衛星から電波到達に要した時間データ等を基地局１０２を経由して位置計算サーバ１０６に送信する。そして、位置計算サーバ１０６から送り返されてきた経度緯度情報を制御部２９０に出力する。
【００１７】
音声部２２０は、通信部２１０から出力された受話音声信号をＤ／Ａ変換してスピーカ２２２に出力すると共に、マイク２２１から取得した送話音声信号をＡ／Ｄ変換し、生成した信号を通信部２１０に出力する。
ＧＰＳと、音声及びデータの送受信そのものを実現するための構成は、従来用いられている一般的な構成を適宜採用するものとして説明を省略する。
【００１８】
放送受信部２３０は、アンテナ２３１から取得したラジオ放送信号を音声信号に復調し、音声部２２０に出力する。また、前記ラジオ放送信号を検出部２５０に出力する。なお、アンテナ２３１は、アンテナ２１１を共用するものとしてよい。更に、放送受信部２３０は制御部２９０からの命令に従い、指定された放送局の放送を受信する。
表示部２４０は、液晶ディスプレイなどで実現され、通信部２１０から取得した電子メールの表示や待受け画面の表示などを行う。
【００１９】
検出部２５０は、放送受信部２３０より取得したラジオ放送信号の電界強度を検出し、制御部２９０に出力する。
時計部２６０は、現在時刻を計時し、制御部２９０の時刻取得要求に従い、現在時刻を出力する。
記憶部２７０は、ＲＯＭ（Read Only Memory）と、ＲＡＭ（Random Access Memory）とを含む。ＲＯＭは特に領域対応放送局情報テーブルと、電界強度の強弱を判断するための電界強度規定値と、アラーム機能で放送を受信させることを実行させるプログラムとを保持し、ＲＡＭはアラームにユーザが設定する時間とアラーム音に替える放送の放送局情報を保持している。
【００２０】
上記領域対応放送局情報テーブルの内容の一例を図３に示す。領域対応放送局情報テーブル３００には、領域情報欄３１０と放送局情報欄３２０とが設けられている。更に領域情報欄３１０には、領域名欄３１１と、経度緯度情報欄３１２とが設けられ、放送局情報欄３２０には、放送局名欄３２１と、当該各放送局に対応する周波数欄３２２とが設けられている。領域名欄３１１には、各領域を認識するための便宜的な呼称、例では近畿１、近畿２、…が記載され、経度緯度情報欄３１２には、領域名欄３１１記載の各領域の範囲を示す２点の経度緯度値が記載されている。２点の経度緯度値による領域の指定については後述する。放送局名欄３２１には、各領域において受信可能とされる放送局の名称が記載され、周波数欄３２２には放送局名欄３２１記載の各放送局の放送の周波数の数値が記載されている。
【００２１】
操作部２８０は、テンキーと、オンフックキーと、オフフックキーと、カーソルキー等を含み、ダイヤル操作、通話開始操作、通話終了操作、アラーム機能の設定操作等に用いられる。
操作部２８０におけるそれぞれのキー配置を図４に示す携帯電話機１０１に示す。操作部２８０にはテンキー４０１、オンフックキー４０２、オフフックキー４０３及びカーソルキー４０４の配置が例示されている。
【００２２】
制御部２９０は、携帯電話機の各部を制御するものであり、ハードウェアとしてはＣＰＵを含んで構成され、記憶部２７０に保持されているアラームとしてラジオ放送を受信させるためのプログラムを読み出し、実行する。
制御部２９０は当該プログラムの内容に従い、以下の記載事項を実行する。まず、記憶部２７０のＲＡＭに操作部２８０から出力された内容により、アラーム設定時刻や受信放送局設定等を記憶させる。また、時計部２６０から現在時刻を取得するとともに、記憶部２７０から前記アラーム設定時刻を読み出す。当該現在時刻と前記アラーム設定時刻を比較して一致した場合、前記受信放送局の放送の受信を放送受信部２３０に開始させる。更に、放送受信部２３０から検出部２５０に出力された放送信号の電界強度を検出部２５０に検出させる。検出部２５０から取得した当該電界強度と、記憶部２７０から取得した電界強度規定値を比較する。前記電界強度が前記電界強度規定値を上回る場合に、当該放送を音声にして音声部２２０に出力させる。前記電界強度が前記電界強度規定値に満たない場合に、制御部２９０は、通信部２１０からＧＰＳを利用して、携帯電話機１０１の経度緯度情報を取得する。取得した緯度経度情報に基づいて、領域対応放送局情報テーブル３００のいずれの領域に属するかを判断する。携帯電話機１０１がどの領域に属しているかの判断の方法は図５に示す。
【００２３】
図５は、例えば、日本全国を複数の領域に分割して、領域の範囲を指定したもので、領域対応放送局情報テーブル３００における近畿１領域を例として示している。近畿１領域５０１は２点（１３６,３４）地点と（１３７,３６）地点によって示される。なお、（１３６,３４）地点とはこの場合、東経１３６度、北緯３４度地点を示す。２点によって指定される領域は近畿１領域５０１のように４点（１３６,３４）、（１３７,３４）、（１３７,３６）、（１３６,３６）、によって囲まれる部分の範囲内になる。つまり一般的には、２点Ａ（ｘ１,ｙ１）とＢ（ｘ２,ｙ２）によって指定されている領域は２点Ａ、Ｂに加え、点Ｃ（ｘ２,ｙ１）、点Ｄ（ｘ１,ｙ２）の計四点によって生成される線分ＡＣ，ＢＣ、ＡＤ、ＢＤで囲われる領域とし、制御部２９０は、点Ｅ（ｘ３,ｙ３）が、ｘ１−ｘ３＜０と、ｘ２−ｘ３≧０と、ｙ１−ｙ３＜０と、ｙ２−ｙ３≧０の四式全てを満たすとき点Ｅは当該領域に属すると決定する。
【００２４】
更に制御部２９０は、決定した領域に対応する放送局欄の放送局の周波数を上から順に、前記電界強度規定値を上回る放送信号を持つ放送が見つかるまで、周波数を切り替えながら放送受信部２３０に受信させる。見つかった場合には、前記電界強度規定値を上回る放送信号を持つ放送を音声にして音声部２２０させる。見つからなかった場合には、記憶部２７０に記憶されている内蔵アラーム音を読み出し、音声部２３０に当該内蔵アラーム音を音声部２２０に音声出力させる。
【００２５】
次に、本実施の形態の動作を図６、図７のフローチャートを用いて説明する。
携帯電話機１０１において、制御部２９０は、記憶部２７０のＲＡＭにおいて、ユーザによるアラーム設定がＯＮになっているかを確認する（Ｓ６０１）。ＯＦＦの場合、携帯電話機１０１は通常通りの動作を続ける（Ｓ６０５）。
ＯＮの場合、制御部２９０は記憶部からアラーム設定時刻を読み出し（Ｓ６０３）、時計部２６０から出力されている時間と当該アラーム設定時刻が一致したら（Ｓ６０７）、放送受信部２３０にアラームに設定されている周波数の放送の受信を開始させる（Ｓ６０９）。
【００２６】
放送受信部２３０は、受信電波を検出部２５０に出力し、電界強度を検出する（Ｓ６１１）。
制御部２９０は、当該電界強度を検出部２５０より受けとり、と同時に記憶部２７０にある電界強度規定値を読み出し、２値を比較する（Ｓ６１３）。当該電界強度が電界強度規定値を上回る場合にはそのラジオ放送の放送を放送受信部２３０は音声部２２０に出力し、音背部２２０は放送を音声として発音する（Ｓ６１５）。操作部２８０からの操作を受け付けた場合に放送の出力を停止し、待機状態に入る（Ｓ６１６）。
【００２７】
前記電界強度が電界強度規定値に満たない場合には通信部２１０にＧＰＳを利用して自己位置の取得を行わせる（Ｓ６１７）。
通信部２１０はＧＰＳ衛星群１０３から所定数、即ち３以上のＧＰＳ衛星からの電波を受信できるかを判断し（Ｓ７０１）、できない場合には携帯電話機１０１が保持する内蔵アラーム音を放送に替えて音声部２２０からスピーカ２２２に出力させる（Ｓ７１７）。
【００２８】
制御部２９０は、経度緯度情報を通信部２１０から受け取り（Ｓ７０３）、と同時に記憶部２７０から図４記載の領域対応放送局情報を読み出す（Ｓ７０５）。受け取った経度緯度情報がどの領域に属するかを図５記載の領域判定方法を判断し、その領域に対応する放送局情報を選び出す。選び出された放送局情報の周波数の低いものから、放送受信部２３０に受信させる（Ｓ７０７）。受信した放送の電界強度を検出部２５０が検出し（Ｓ７０９）、制御部２９０が当該電界強度が電界強度規定値を超えているかの判断をする（Ｓ７１１）。当該電界強度が電界強度規定値を超えている場合には当該放送を音声部に音声にしてスピーカ２２２に発音させる（Ｓ７１３）。操作部２８０からの操作を受け付けた場合に放送の出力を停止し、待機状態に入る（Ｓ７１４）。当該電界強度が電界強度規定値を超えていない場合には放送局情報に電界強度を検出していない周波数があるかを制御部２９０が判断する（Ｓ７１５）。放送局情報に電界強度を検出していない周波数がある場合には放送局情報の次の放送を放送受信部が受信し（Ｓ７１９）、所定の動作を行う。制御部２９０は放送局情報に電界強度を検出していない周波数がない場合には放送の受信は不可能と判断し内蔵アラーム音をスピーカ２２２から出力する（Ｓ７１７）。操作部２８０からの操作を受け付けた場合に内蔵アラーム音の出力を停止し、待機状態に入る（Ｓ７１８）。
【００２９】
なお、上記実施の形態では領域を矩形としたけれども、円形など分割する形状を他のものとするようにしてもよい。
また、上記実施の形態では、携帯電話機の位置情報を位置計算サーバから取得するようにしたけれども、携帯電話機自身のＣＰＵに算出させるようにしてもよい。
また、上記実施の形態では、携帯電話機はＧＰＳ衛星からの電波を３以上受信できない場合内蔵アラーム音に切り替えてしまう仕様になっているが、ＧＰＳ衛星からの受信電波が足りない場合に基地局からの電波をその補助にあてるようにしてもよい。
【００３０】
また、上記実施の形態ではアラーム設定時刻に放送の受信を開始することとしたけれども、Ｓ６０７でアラーム設定時間の所定時間前、例えば１分前、かどうかを判定するようにし、Ｓ６０９〜Ｓ６１３、Ｓ６１７〜Ｓ７１１、Ｓ７１５〜Ｓ７１９の各動作をアラーム設定時刻前に終了するようにする。そして、Ｓ６１５又はＳ７１４又はＳ７１７の前に制御部２９０がアラーム設定時刻になったかどうかを確認するようにしてもよい。このような実施の形態とすることにより、アラーム設定時刻に遅滞することなく、放送を出力し、または、放送を受信できないとき、内蔵アラーム音を鳴動することができる。
【００３１】
また、上記実施の形態では、放送局情報の放送を順に受信して電界強度規定値を超える放送が検出されればそこで放送局の検索を終了し、当該放送を音声出力するとしたけれども、制御部２９０は、領域に対応する複数の放送局の周波数全てを放送受信部２３０に受信させ、それぞれの電界強度を検出部２５０に検出させ、各々の電界強度を記憶部２７０に記憶させる。記憶された電界強度の中で最も高い数値の放送を音声部２２０に音声出力させるようにしてもよい。
【００３２】
また、上記実施の形態では、設定してある放送局の受信ができない場合には、その都度、位置検索を行うようにしているが、前回の位置検索情報をＲＡＭに履歴として残し、その情報を元に領域を決定するようにしてもよい。
また、上記実施の形態では、携帯電話機の位置情報の取得を行うのにＧＰＳを利用したけれども、基地局との交信により基地局の識別子若しくは基地局の属する地域の地域情報を取得し、その識別子または地域情報に従い領域を決定するようにしてもよい。この場合、上記実施の形態で示した領域対応放送局情報テーブル３００の２点の経緯度に替えて、基地局の識別子群や基地局の地域情報が記載される。
【００３３】
また、上記実施の形態では、放送をラジオ放送として説明したけれども、テレビ放送を受信するようにしてもよい。テレビ放送の場合には表示部２４０に映像を表示し、スピーカ２２２から音声を出力し、その明るさと音声を以ってアラームとするようにしてもよい。
【産業上の利用可能性】
【００３４】
本発明に係る携帯電話機は、アラーム機能を放送の出力で達成する携帯電話機として移動体通信分野で活用できる。
【図面の簡単な説明】
【００３５】
【図１】本発明に係る携帯電話機の一実施の形態のシステムを示す概略構成図である。
【図２】上記実施の形態の携帯電話機の機能図である。
【図３】上記実施の形態の携帯電話機の記憶部に記憶されている領域対応放送局情報テーブルである。
【図４】上記実施の形態の携帯電話機の正面図である。
【図５】上記実施の形態の携帯電話機の制御部で自己位置の属する領域の決定方法を説明する説明図である。
【図６】上記実施の形態の動作を説明するフローチャート（その１）である。
【図７】上記実施の形態の動作を説明するフローチャート（その２）である。
【符号の説明】
【００３６】
１０１    携帯電話機
１０２    基地局
１０３    ＧＰＳ衛星群
１０４    放送局
１０５    放送局
１０６    位置計算サーバ
２１０    通信部
２１１    アンテナ
２２０    音声部
２２１    マイク
２２２    スピーカ
２３０    放送受信部
２３１    アンテナ
２４０    表示部
２５０    検出部
２６０    時計部
２７０    記憶部
２８０    操作部
２９０    制御部
３００    領域対応放送局情報テーブル
【図１】
2005244568.tif 000003
【図２】
2005244568.tif 000004
【図３】
2005244568.tif 000005
【図４】
2005244568.tif 000006
【図５】
2005244568.tif 000007
【図６】
2005244568.tif 000008
【図７】
2005244568.tif 000009